(57)【特許請求の範囲】
【請求項１】
撮影モードと再生モードとを備え且つ電源によりバックアップ可能な複数の機能を有するビデオカメラにおいて、
撮影者により操作され且つビデオカメラ本体電源のオン・オフ切り替え及び前記撮影モードと再生モードの設定を行なうための第１の制御手段と、
撮影者により操作され且つ前記第１の制御手段により前記ビデオカメラ本体電源がオンに切り替えられ且つ前記撮影モードに設定された状態において前記ビデオカメラ本体電源のオン・オフ切り替えを行なうための第２の制御手段と、
前記第１の制御手段の操作に伴いバックアップされる機能のバックアップ項目と前記第２の制御手段の操作に伴いバックアップされる機能のバックアップ項目とを撮影者が認識するための認識手段と
を具備したことを特徴とするビデオカメラ。
【請求項２】
前記認識手段は、前記それぞれのバックアップ項目を、ビデオカメラ本体に設けられた表示器に表示することにより、前記それぞれのバックアップ項目を撮影者が認識できるように構成したことを特徴とする請求項１記載のビデオカメラ。
【請求項３】
前記第１及び第２の制御手段の操作に伴いそれぞれバックアップされる機能のバックアップ項目を設定する設定手段を具備したことを特徴とする請求項１乃至３のいずれかに記載のビデオカメラ。
【発明の詳細な説明】
【０００１】
【発明の属する技術分野】
本発明はビデオカメラに関する。
【０００２】
【従来の技術】
従来、ビデオカメラはビデオカメラ本体電源のオフからオンでのバックアップ項目と、スタンバイスイッチのオフからオンでのバックアップ項目とが異なっているのが一般的である。例えば、ビデオカメラ本体電源の操作においては、カウンター／記録モード等をバックアップするが、オートフォーカス機能／シャッタースピード等はイニシャルにクリアしている。また、スタンバイスイッチの操作においては、オートフォーカス機能／シャッタースピード等をバックアップしている。
【０００３】
【発明が解決しようとする課題】
しかしながら、上記従来例では、撮影者がビデオカメラ本体電源かスタンバイスイッチによってビデオカメラをオフからオンにした場合に、バックアップ項目が異なることによって、撮影終了でオフさせた状態と撮影開始でオンさせた状態との違いに戸惑ってしまい、撮影開始時の再設定や撮影に失敗してしまう恐れがあるという欠点があった。
【０００４】
本発明は上述した従来の技術の有する問題点を解消するためになされたもので、その目的とするところは、撮影開始時の再設定にかかる時間の省略や撮影の失敗を防ぐことができるビデオカメラを提供することである。
【０００５】
【課題を解決するための手段】
上記目的を達成するため本発明の請求項１記載の撮像装置は、撮影モードと再生モードとを備え且つ電源によりバックアップ可能な複数の機能を有するビデオカメラにおいて、撮影者により操作され且つビデオカメラ本体電源のオン・オフ切り替え及び前記撮影モードと再生モードの設定を行なうための第１の制御手段と、撮影者により操作され且つ前記第１の制御手段により前記ビデオカメラ本体電源がオンに切り替えられ且つ前記撮影モードに設定された状態において前記ビデオカメラ本体電源のオン・オフ切り替えを行なうための第２の制御手段と、前記第１の制御手段の操作に伴いバックアップされる機能のバックアップ項目と前記第２の制御手段の操作に伴いバックアップされる機能のバックアップ項目とを撮影者が認識するための認識手段とを具備したことを特徴とする。
【００１０】
【発明の実施の形態】
以下、本発明の各実施の形態を図面に基づき説明する。
【００１１】
（第１の実施の形態）
まず、本発明の第１の実施の形態を図１及び図２に基づき説明する。図１は、本発明の第１の実施の形態に係るビデオカメラの構成を示すブロック図であり、同図において、１は映像を入力するためのレンズ、２はレンズ１からの光学像を光電変換して電気映像信号を出力するＣＣＤ（撮像素子）、３はＣＣＤ２から出力される画像信号を処理するための信号処理回路、４は情報を記録／再生する記録再生装置、５はデータをバックアップするためのバックアップ電源、６はビデオカメラを制御するマイクロコンピュータ、７はデータを記憶するメモリ、８は情報を表示する表示器、９は撮影モードでビデオカメラ本体電源のオン・オフ切り替えを制御するスタンバイスイッチ（第２の制御手段）、１０は撮影モード、再生モードの設定及びビデオカメラ本体電源のオン・オフ切り替えを制御する電源スイッチ（第１の制御手段）、１１はバックアップ項目を設定する設定スイッチ（設定手段）、１２はビデオカメラの機能を操作する操作スイッチ（操作手段）、１３はマイクロコンピュータ６からの情報信号と信号処理回路３からの信号とをミックスするミックス回路である。
【００１２】
次に、上記構成になるビデオカメラの動作を説明する。電源スイッチ１０が撮影モードに設定され、スタンバイスイッチ９がオンされると、ビデオカメラは撮影モードでパワーオンされる。撮影映像はレンズ１を通してＣＣＤ２に蓄えられ、ＣＣＤ２からの出力信号は信号処理回路３にて信号処理され、記録信号として記録再生装置４に入力される。一方、ＣＣＤ２からの出力信号は表示用としてマイクロコンピュータ６からの情報信号とミックス回路１３でミックスされ、表示器８に表示される。
【００１３】
撮影者は操作スイッチ１２を操作して撮影を行う。マイクロコンピュータ６は、撮影中のビデオカメラの機能情報を表示器８に表示するとき、電源スイッチ１０の操作に伴いバックアップされる機能のバックアップ項目とスタンバイスイッチ９の操作に伴いバックアップされる機能のバックアップ項目とバックアップ電源５によりバックアップされる機能のバックアップ項目とを判別して、ビデオカメラのそれぞれの機能情報の表示形態を変更して表示器８に表示する。これによって、撮影者は撮影終了後に、電源スイッチ１０の操作に伴いバックアップされる機能のバックアップ項目と、スタンバイスイッチ９の操作に伴いバックアップされる機能のバックアップ項目と、バックアップ電源５によりバックアップされる機能のバックアップ項目とが撮影開始操作以前に認識できる。
【００１４】
図２は、本実施の形態に係るビデオカメラの表示器８に表示された表示内容の一例を示す図であり、同図において、電源スイッチ１０の操作によりバックアップされる機能のバックアップ項目を〔ＶＡＰ〕、〔ＡＦ  ＯＦＦ〕と「〔  〕」で表示し、スタンバイスイッチ９の操作によりバックアップされる機能のバックアップ項目を（ＳＨＵＴＴＥＲ）と「（  ）」で表示し、バックアップ電源でバックアップされる機能のバックアップ項目を”１：２３：４５”と「””」で表示している。
【００１５】
「ＶＡＰ」は手ぶれ補正機能を、「ＡＦ  ＯＦＦ」はオートフォーカス機能オフを、「ＳＨＵＴＴＥＲ」はシャタースピードをそれぞれ表わしており、ビデオカメラの機能例である。１：２３：４５は例えば、画像の記録時間をカウントするカウンターの値である。
【００１６】
上記それぞれの機能表示例では、「〔  〕」、「（  ）」及び「””」でバックアップ項目を区別したが、表示の色、文字の大きさ及び型等で区別して表示することもできる。
【００１７】
上述したように本実施の形態に係るビデオカメラによれば、撮影者がビデオカメラをオフするとき、何の項目がバックアップされるかを認識し、次に、ビデオカメラをオンするとき、何の項目がバクアップされているかが判断できることによって、撮影開始時の再設定にかかる時間の省略や撮影の失敗を防ぐことができ、操作性が向上する等の効果を奏する。
【００１８】
（第２の実施の形態）
次に、本発明の第２の実施の形態を図３に基づき説明する。なお、本実施の形態に係るビデオカメラの基本的な構成は、上述した第１の実施の形態の図１と同一であるから、同図を流用して説明する。
【００１９】
図３は、本実施の形態に係るビデオカメラにおけるビデオカメラ本体の操作スイッチ１２の周辺を示す図である。同図において、ＡＦスイッチとＶＡＰスイッチに対応して、スタンバイスイッチ９の操作でもバックアップすることを表わす項目「スタンバイ」が表示してある。また、ＳＵＴスイッチに対応して電源スイッチ１０の操作でもバックアップすることを表わす項目「カメラ電源」が表示してある。更に、Ｔｉｔｌｅスイッチに対応してバックアップ電源５（例えば、リチウムボタン電池）でバックアップすることを表わす項目「リチウム電源」が表示してある。
【００２０】
本実施の形態に係るビデオカメラにおいては、電源スイッチ１０が撮影モードに設定され、スタンバイスイッチ９がオンされると、ビデオカメラは撮影モードでパワーオンされる。撮影映像はレンズ１を通してＣＣＤ２に蓄えられ、ＣＣＤ２からの出力信号は信号処理回路３にて信号処理され、記録信号として記録再生装置４に入力される。一方、ＣＣＤ２からの出力信号は表示用としてマイクロコンピュータ６からの情報信号とミックス回路１３でミックスされ、表示器８に表示される。撮影者は操作スイッチ１２を操作して撮影を行う。
【００２１】
ビデオカメラ本体の操作スイッチ１２の周辺に、図３に示すように、それぞれの機能スイッチが、電源スイッチ１０の操作によるバックアップ項目か、スタンバイスイッチ９の操作によるバックアップ項目か、バックアップ電源５によるバックアップ項目かが表示されていることによって、撮影者は撮影終了後に、電源スイッチ１０の操作と、スタンバイスイッチ９の操作によりバックアップされる項目が、その操作以前に認識できる。
【００２２】
なお、本実施の形態におけるその他の構成及び動作は、上述した第１の実施の形態と同一であるから、その説明を省略する。
【００２３】
本実施の形態に係るビデオカメラによれば、撮影者がビデオカメラをオフするとき、何の項目がバックアップされるかを認識し、次にビデオカメラをオンするとき、何の項目がバックアップされているかが判断できることによって、撮影開始時の再設定にかかる時間の省略や撮影の失敗を防ぐことができ、操作性が向上する。また、ビデオカメラ本体の操作スイッチ１２の周辺にバックアップ項目を表示するだけなので、安価に実現できる等の効果を奏する。
【００２４】
（第３の実施の形態）
次に、本発明の第３の実施の形態を図４及び図５に基づき説明する。なお、本実施の形態に係るビデオカメラの基本的な構成は、上述した第１の実施の形態の図１と同一であるから、同図を流用して説明する。
【００２５】
図４は、本実施の形態に係るビデオカメラにおける設定スイッチ１１により設定中の表示器８の表示例を示す図である。同図において、「ＡＦ」、「ＶＡＰ」、「ＳＨＵＴＴＥＲ」、「ＣＯＵＮＴＥＲ」等はビデオカメラの機能を表わしている。また、「ＢＵ１」、「ＢＵ２」、「ＢＵ３」はバックアップ方法の種類を表わしている。また、「＊」は選択されていることを表わし、「−」は選択されていないことを表わし、「（）」は現在設定中の項目を表わしている。例えば、ＡＦ機能は、ＢＵ１で（＊）になっているのは、ＡＦ機能がＢＵ１のバクアップ方法で設定され且つ設定中であることを表わしている。
【００２６】
本実施の形態に係るビデオカメラにおいては、電源スイッチ１０が撮影モードに設定され、スタンバイスイッチ９がオンされると、ビデオカメラは撮影モードでパワーオンされる。撮影映像はレンズ１を通してＣＣＤ２に蓄えられ、ＣＣＤ２からの出力信号は信号処理回路３にて信号処理され、記録信号として記録再生装置４に入力される。一方、ＣＣＤ２からの出力信号は表示用としてマイクロコンピュータ６からの情報信号とミックス回路１３でミックスされ、表示器８に表示される。
【００２７】
撮影者は操作スイッチ１２を操作して撮影を行う。マイクロコンピュータ６は、撮影中のビデオカメラの機能情報を表示器８に表示するとき、電源スイッチ１０の操作に伴いバックアップされる機能のバックアップ項目とスタンバイスイッチ９の操作に伴いバックアップされる機能のバックアップ項目とバックアップ電源５によりバックアップされる機能のバックアップ項目とを判別して、ビデオカメラのそれぞれの機能情報の表示形態を変更して表示器８に表示する。
【００２８】
また、バックアップ項目を設定する設定スイッチ１１によって、撮影者がバックアップ項目を任意に設定する。これによって、撮影者は撮影終了後に、電源スイッチ１０の操作と、スタンバイスイッチ９の操作でバックアップされる項目を、その操作以前に認識でき、また、バックアップ方法の自由度が高まる。
【００２９】
図５は、本実施の形態に係るビデオカメラにおける設定スイッチ１１による設定方法の制御手順を示すフローチャートである。
【００３０】
まず、ステップＳ５０１でバックアップ項目の選択メニューモードを設定し、ステップＳ５０２で機能項目を選択し、ステップＳ５０３でバックアップ方法を選択し、ステップＳ５０４でバックアップの選択／非選択を設定し、ステップＳ５０５で設定完了か否かを判別し、完了しない場合は前記ステップＳ５０２へ戻り、完了した場合は本処理動作を終了する。
【００３１】
なお、本実施の形態におけるその他の構成及び動作は、上述した第１の実施の形態と同一であるから、その説明を省略する。
【００３２】
本実施の形態に係るビデオカメラによれば、撮影者がビデオカメラ本体電源をオフする際に、いずれの機能の項目がバックアップされるかを認識できることによって、撮影開始時における撮影開始の再設定に関わる時間の省略や、撮影者のバックアップ項目の思い違いによる撮影の失敗を防ぐことができるという効果を奏する。また、操作者がビデオカメラ本体電源をオフする際に、設定手段により撮影者が任意且つ最適にバックアップ項目を設定することができるので、上記効果に加えて、更なる操作性の向上が図れるという効果を奏する。
【００３３】
【発明の効果】
以上詳述したように、本発明の請求項１，２記載のビデオカメラによれば、撮影者がビデオカメラ本体の電源をオフする際に、いずれ機能の項目がバックアップされるかを認識できることによって、撮影開始時における撮影開始の再設定に関わる時間の省略や、撮影者のバックアップ項目の思い違いによる撮影の失敗を防ぐことができるという効果を奏する。
【００３４】
また、本発明の請求項３記載のビデオカメラによれば、撮影者がバックアップ項目を任意且つ最適に設定できることによって、上述した請求項１，２記載のビデオカメラの効果に加えて、更なる操作性の向上が図れるという効果を奏する。
【図面の簡単な説明】
【図１】本発明の第１の実施の形態に係るビデオカメラの構成を示すブロック図である。
【図２】同ビデオカメラにおける表示器の表示例を示す図である。
【図３】本発明の第２の実施の形態に係るビデオカメラにおける操作キー周辺を示す図である。
【図４】本発明の第３の実施の形態に係るビデオカメラにおける表示器の表示例を示す図である。
【図５】同ビデオカメラにおける設定方法の制御手順を示すフローチャートである。
【符号の説明】
１    レンズ
２    ＣＣＤ
３    信号処理回路
４    記録再生装置
５    バックアップ電源
６    マイクロコンピュータ
７    メモリ
８    表示器
９    スタンバイスイッチ
１０  電源スイッチ
１１  設定スイッチ
１２  操作スイッチ
１３  ミックス回路
【図１】
0003696962.tif 000002
【図２】
0003696962.tif 000003
【図３】
0003696962.tif 000004
【図４】
0003696962.tif 000005
【図５】
0003696962.tif 000006